(57)【特許請求の範囲】
【請求項１】
複合ノードが、前記複合ノードに含まれる全てのモバイル管理ネットワーク要素におけるユーザ端末（Ｕｓｅｒ  Ｅｑｕｉｐｍｅｎｔ：ＵＥ）の登録ステータスが、いずれも未登録であり、且つ、ホーム加入者サーバ（Ｈｏｍｅ  Ｓｕｂｓｃｒｉｂｅｒ  Ｓｅｒｖｅｒ：ＨＳＳ）に記憶された前記ＵＥの登録ステータスと一致しないと判定する場合、複合ノードは、前記ＵＥのパージプロセスをＨＳＳに開始させ、
前記複合ノードは、２つのモバイル管理ネットワーク要素を含み、
第１のモバイル管理ネットワーク要素が、モビリティ管理エンティティ（Ｍｏｂｉｌｉｔｙ  Ｍａｎａｇｅｍｅｎｔ  Ｅｎｔｉｔｙ：ＭＭＥ）であり、第２のモバイル管理ネットワーク要素が、サービングＧＰＲＳサポートノード（Ｓｅｒｖｉｎｇ  ＧＰＲＳ  Ｓｕｐｐｏｒｔ  Ｎｏｄｅ：ＳＧＳＮ）（ＧＰＲＳ：Ｇｅｎｅｒａｌ  Ｐａｃｋｅｔ  Ｒａｄｉｏ  Ｓｅｒｖｉｃｅｓ、汎用パケット無線サービス）であり、又は
第１のモバイル管理ネットワーク要素が、ＳＧＳＮであり、第２のモバイル管理ネットワーク要素が、ＭＭＥであり、
前記第１のモバイル管理ネットワーク要素のアドレスと、第２のモバイル管理ネットワーク要素のアドレスとは、同じである
ユーザ端末パージ方法。
【請求項２】
前記複合ノードに含まれる全てのモバイル管理ネットワーク要素においてＵＥの登録ステータスがいずれも未登録であることは、
前記複合ノードに含まれる各モバイル管理ネットワーク要素において、ＵＥの加入者データが存在しない若しくは削除されたことを示し、又は
前記複合ノードに含まれる各モバイル管理ネットワーク要素が、前記モバイル管理ネットワーク要素において、ＵＥパージ済みのマークを設定したことを示す
請求項１に記載の方法。
【請求項３】
前記ＨＳＳに記憶された前記ＵＥの登録ステータスは、
前記ＨＳＳが、前記モバイル管理ネットワーク要素において、ＵＥパージ済みのマークを設定したことを示し、又は
前記ＨＳＳが、前記モバイル管理ネットワーク要素において、ＵＥパージ済みのマークを消去し、前記ＨＳＳが、ＵＥが登録された複合ノードに含まれる全てのモバイル管理ネットワーク要素のアドレスを記憶することを示す
請求項１に記載の方法。
【請求項４】
前記複合ノードは、さらに、
前記第１のモバイル管理ネットワーク要素におけるＵＥの加入者データを自動的に削除する場合、前記第２のモバイル管理ネットワーク要素における前記ＵＥの登録ステータスを検査し、
前記第２のモバイル管理ネットワーク要素における前記ＵＥの登録ステータスが未登録である場合、前記複合ノードに含まれる全てのモバイル管理ネットワーク要素において、ＵＥの登録ステータスが、いずれも未登録であり、且つ、前記ＨＳＳに記憶された登録ステータスと一致しないと判定し、
前記ＵＥのパージプロセスをＨＳＳに開始させる
請求項２又は３に記載の方法。
【請求項５】
前記第２のモバイル管理ネットワーク要素における前記ＵＥの登録ステータスを検査するステップは、
前記第２のモバイル管理ネットワーク要素において前記ＵＥの登録ステータスが未登録である場合、前記複合ノードは、前記第２のモバイル管理ネットワーク要素において、前記ＵＥパージ済みのマークを消去し、
前記第２のモバイル管理ネットワーク要素において前記ＵＥの登録ステータスが登録済みである場合、前記複合ノードは、前記第１のモバイル管理ネットワーク要素において、前記ＵＥパージ済みのマークを設定する
請求項４に記載の方法。
【請求項６】
前記複合ノードは、さらに、
ＨＳＳからの位置パージメッセージを受信し、
前記位置パージメッセージの位置パージタイプが、第１のモバイル管理ネットワーク要素更新プロセスである場合、
前記第１のモバイル管理ネットワーク要素における前記ＵＥパージ済みのマークを消去し、
前記第２のモバイル管理ネットワーク要素における前記ＵＥの登録ステータスを検査し、
前記第２のモバイル管理ネットワーク要素における前記ＵＥの登録ステータスが未登録である場合、前記複合ノードに含まれる全てのモバイル管理ネットワーク要素におけるＵＥの登録ステータスが、いずれも未登録であり、且つ、前記ＨＳＳに記憶された登録ステータスと一致しないと判定し、
前記ＵＥのパージプロセスをＨＳＳに開始させ、
前記位置パージメッセージの位置パージタイプが、第２のモバイル管理ネットワーク要素更新プロセスである場合、
前記第２のモバイル管理ネットワーク要素における前記ＵＥパージ済みのマークを消去し、
前記第１のモバイル管理ネットワーク要素における前記ＵＥの登録ステータスを検査し、
前記第１のモバイル管理ネットワーク要素における前記ＵＥの登録ステータスが未登録である場合、前記複合ノードに含まれる全てのモバイル管理ネットワーク要素におけるＵＥの登録ステータスが、いずれも未登録であり、且つ、前記ＨＳＳに記憶された登録ステータスと一致しないと判定し、
前記ＵＥのパージプロセスをＨＳＳに開始させる
請求項４又は５に記載の方法。
【請求項７】
ホーム加入者サーバ（Ｈｏｍｅ  Ｓｕｂｓｃｒｉｂｅｒ  Ｓｅｒｖｅｒ：ＨＳＳ）と、
複合ノードとを含み、
前記複合ノードは、２つのモバイル管理ネットワーク要素を含み、
第１のモバイル管理ネットワーク要素が、モビリティ管理エンティティ（Ｍｏｂｉｌｉｔｙ  Ｍａｎａｇｅｍｅｎｔ  Ｅｎｔｉｔｙ：ＭＭＥ）であり、第２のモバイル管理ネットワーク要素が、サービングＧＰＲＳサポートノード（Ｓｅｒｖｉｎｇ  ＧＰＲＳ  Ｓｕｐｐｏｒｔ  Ｎｏｄｅ：ＳＧＳＮ）（ＧＰＲＳ：Ｇｅｎｅｒａｌ  Ｐａｃｋｅｔ  Ｒａｄｉｏ  Ｓｅｒｖｉｃｅｓ、汎用パケット無線サービス）であり、又は
第１のモバイル管理ネットワーク要素が、ＳＧＳＮであり、第２のモバイル管理ネットワーク要素が、ＭＭＥであり、
前記第１のモバイル管理ネットワーク要素のアドレスと、第２のモバイル管理ネットワーク要素のアドレスとは、同じであり、
前記複合ノードは、前記複合ノードに含まれる全てのモバイル管理ネットワーク要素におけるユーザ端末（Ｕｓｅｒ  Ｅｑｕｉｐｍｅｎｔ：ＵＥ）の登録ステータスが、いずれも未登録であり、且つ、ＨＳＳに記憶された前記ＵＥの登録ステータスと一致しないと判定する場合、前記ＵＥのパージプロセスをＨＳＳに開始させる
ユーザ端末パージシステム。
【請求項８】
前記複合ノードに含まれる全てのモバイル管理ネットワーク要素においてＵＥの登録ステータスがいずれも未登録であることは、
前記複合ノードに含まれる各モバイル管理ネットワーク要素において、ＵＥの加入者データが存在しない若しくは削除されたことを示し、又は
前記複合ノードに含まれる各モバイル管理ネットワーク要素が、前記モバイル管理ネットワーク要素において、ＵＥパージ済みのマークを設定したことを示す
請求項７に記載のシステム。
【請求項９】
前記ＨＳＳに記憶された前記ＵＥの登録ステータスは、
前記ＨＳＳが、前記モバイル管理ネットワーク要素において、ＵＥパージ済みのマークを設定したことを示し、又は
前記ＨＳＳが、前記モバイル管理ネットワーク要素において、ＵＥパージ済みのマークを消去し、前記ＨＳＳが、ＵＥが登録された複合ノードに含まれる全てのモバイル管理ネットワーク要素のアドレスを記憶することを示す
請求項７に記載のシステム。
【請求項１０】
前記複合ノードは、さらに、
前記第１のモバイル管理ネットワーク要素におけるＵＥの加入者データを自動的に削除する場合、前記第２のモバイル管理ネットワーク要素における前記ＵＥの登録ステータスを検査し、
前記第２のモバイル管理ネットワーク要素における前記ＵＥの登録ステータスが未登録である場合、前記複合ノードは、前記複合ノードに含まれる全てのモバイル管理ネットワーク要素において、ＵＥの登録ステータスが、いずれも未登録であり、且つ、前記ＨＳＳに記憶された登録ステータスと一致しないと判定し、
前記ＵＥのパージプロセスをＨＳＳに開始させる
請求項８又は９に記載のシステム。
【請求項１１】
前記複合ノードは、さらに、
前記第２のモバイル管理ネットワーク要素において前記ＵＥの登録ステータスが未登録である場合、前記複合ノードは、前記第２のモバイル管理ネットワーク要素において、前記「ＵＥパージ済み」のマークを消去し、
前記第２のモバイル管理ネットワーク要素において前記ＵＥの登録ステータスが登録済みである場合、前記複合ノードは、前記第１のモバイル管理ネットワーク要素において、前記「ＵＥパージ済み」のマークを設定する
請求項１０に記載のシステム。
【請求項１２】
前記複合ノードは、ＨＳＳからの位置パージメッセージを受信した後、
前記位置パージメッセージの位置パージタイプが、第１のモバイル管理ネットワーク要素更新プロセスである場合、
前記第１のモバイル管理ネットワーク要素における前記「ＵＥパージ済み」のマークを消去し、
前記第２のモバイル管理ネットワーク要素における前記ＵＥの登録ステータスを検査し、
前記第２のモバイル管理ネットワーク要素における前記ＵＥの登録ステータスが未登録である場合、前記複合ノードに含まれる全てのモバイル管理ネットワーク要素におけるＵＥの登録ステータスが、いずれも未登録であり、且つ、前記ＨＳＳに記憶された登録ステータスと一致しないと判定し、
前記ＵＥのパージプロセスをＨＳＳに開始させ、
前記位置パージメッセージの位置パージタイプが、第２のモバイル管理ネットワーク要素更新プロセスである場合、
前記第２のモバイル管理ネットワーク要素における前記「ＵＥパージ済み」のマークを消去し、
前記第１のモバイル管理ネットワーク要素における前記ＵＥの登録ステータスを検査し、
前記第１のモバイル管理ネットワーク要素における前記ＵＥの登録ステータスが未登録である場合、前記複合ノードに含まれる全てのモバイル管理ネットワーク要素におけるＵＥの登録ステータスが、いずれも未登録であり、且つ、前記ＨＳＳに記憶された登録ステータスと一致しないと判定し、
前記ＵＥのパージプロセスをＨＳＳに開始させる
請求項１０又は１１に記載のシステム。
【発明の詳細な説明】
【技術分野】
【０００１】
本発明は、通信分野に関し、特に、ユーザ端末パージ（ｐｕｒｇｅ）方法及びシステムに関する。
【背景技術】
【０００２】
新しい技術が絶えず現れるにつれ、第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ：３ＧＰＰ）は、将来の移動通信分野におけるシステムアーキテクチャの発展において、無線インターフェースからコアネットワークまで、継続的な発展及び強化について検討する必要がある。これにより、移動通信分野において、今後１０年間、先発者としての技術先行優位性を保持することができる。また、通信事業者及びユーザからの増え続ける要求に対して、満足のいくサポートを提供することができる。このような背景に鑑み、発展型プロジェクトＥＰＳ（発展型パケットシステム、Ｅｖｏｌｖｅｄ  Ｐａｃｋｅｔ  Ｓｙｓｔｅｍ）が、全ＩＰ向けのパケット交換コアネットワークとして開始されている。ＥＰＳの目標は、「高速データレート、低遅延、データパケット化、マルチ無線アクセス技術のサポートを特徴とする、ポータブル３ＧＰＰシステムアーキテクチャ構造を構成する」ことである。
【０００３】
ＥＰＳネットワークの特徴は、エンドツーエンドのサービス品質（Ｑｕａｌｉｔｙ  ｏｆ  Ｓｅｒｖｉｃｅ：Ｑｏｓ）の保証、包括的なパケット化、マルチアクセス技術のサポート、リアルタイムサービスのサポート、ネットワーク層フラット化などである。図１は、ＥＰＳネットワークの参照アーキテクチャを示す。図１に示すように、ＥＰＳネットワークは、さらに、コントロールパネルとユーザパネルとの間のデータ分離を実現する。さらに、ＥＰＳネットワークは、ネットワーク要素（Ｎｅｔｗｏｒｋ  Ｅｌｅｍｅｎｔ：ＮＥ）として、モビリティ管理エンティティ（Ｍｏｂｉｌｉｔｙ  Ｍａｎａｇｅｍｅｎｔ  Ｅｎｔｉｔｙ：ＭＭＥ）を提供する。ＭＭＥは、コントロールパネルのユーザデータを搬送するネットワーク機能エンティティとして機能する。ＭＭＥは、ローミング、認証、ベアラ管理などの機能を持つ。ＭＭＥとホーム加入者サーバ（Ｈｏｍｅ  Ｓｕｂｓｃｒｉｂｅｒ  Ｓｅｒｖｅｒ：ＨＳＳ）との間のＳ６ａインターフェースにより、ユーザデータ、認証データなどのダウンロードが行われる。ユーザ端末（Ｕｓｅｒ  Ｅｑｕｉｐｍｅｎｔ：ＵＥ）は、発展型ユニバーサル地上無線アクセスネットワーク（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ：Ｅ−ＵＴＲＡＮ）を介して、ＥＰＳネットワークにアクセスする。ＵＥは、ＭＭＥを介して、ＨＳＳにおいてネットワークログイン（ｒｅｇｉｓｔｒａｔｉｏｎ、登録）する。そしてＵＥは、サービングゲートウェイのアドレスと、パケットデータネットワーク（Ｐａｃｋｅｔ  Ｄａｔａ  Ｎｅｔｗｏｒｋ：ＰＤＮ）ゲートウェイのアドレスとを取得する。これにより、ＵＥは、ＰＤＮゲートウェイを介して、通信事業者インターネットプロトコル（Ｉｎｔｅｒｎｅｔ  Ｐｒｏｔｏｃｏｌ：ＩＰ）サービスネットワークに接続する。ＥＰＳネットワークのポリシー制御は、ポリシー制御ルール機能を介して、ＰＤＮゲートウェイにダウンロードされる。ＰＤＮゲートウェイは、関連するＱｏＳ制御などを実行する。
【０００４】
ＥＰＳネットワークは、ＵＥが、従来型のアクセス方式により、サービングＧＰＲＳサポートノード（Ｓｅｒｖｉｎｇ  ＧＰＲＳ  Ｓｕｐｐｏｒｔ  Ｎｏｄｅ：ＳＧＳＮ）（ＧＰＲＳ：Ｇｅｎｅｒａｌ  Ｐａｃｋｅｔ  Ｒａｄｉｏ  Ｓｅｒｖｉｃｅｓ、汎用パケット無線サービス）を介して、ＥＰＳネットワークにアクセスするのをサポートする。ＳＧＳＮは、コアネットワーク側において、モビリティ管理を担うネットワーク要素である。従来型のアクセス方式とは、ユニバーサル地上無線アクセスネットワーク（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ：ＵＴＲＡＮ）や、ＧＳＭ  ＥＤＧＥ無線アクセスネットワーク（ＧＳＭ  ＥＤＧＥ  Ｒａｄｉｏ  Ａｃｃｅｓｓ  Ｎｅｔｗｏｒｋ：ＧＥＲＡＮ）などである。また、ＥＰＳネットワークは、ＳＧＳＮとＨＳＳとの間のＳ６ｄインターフェースを定義する。Ｓ６ｄインターフェースの基本的な機能は、Ｓ６ａインターフェースの基本的な機能と同じである。Ｓ６ｄインターフェースにより、ＥＰＳ加入者データ及びＧＰＲＳ加入者データのダウンロードが行われる。そしてＳ６ｄインターフェースは、ＳＧＳＮを介してユーザのネットワークログイン（ｒｅｇｉｓｔｒａｔｉｏｎ、登録）を実現する。
【０００５】
ＨＳＳは、ＵＥがＭＭＥ又はＳＧＳＮを介してコアネットワークに同時にログイン（登録）することをサポートする。ＨＳＳは、ログイン（登録）されたＭＭＥアドレス及びＳＧＳＮアドレスを記憶する。ＭＭＥ又はＳＧＳＮは、ＵＥが位置するアクセスネットワークにおいて、ＵＥが長時間イナクティブ（ｉｎａｃｔｉｖｅ）状態にあることを検出する。検出した場合、ＭＭＥ又はＳＧＳＮは、記憶されたＵＥ加入者情報を削除する。また、ＭＭＥ又はＳＧＳＮは、ＵＥパージプロセスをＨＳＳに開始させる。図２は、従来技術における、異なるアクセスネットワークを介して行われる、ＵＥログイン（登録）プロセス及びＵＥパージプロセスを示す。登録ネットワークノードであるＭＭＥとＳＧＳＮとは、それぞれ独立して構成されるものとする。これらのプロセスは、以下のステップを含む
【０００６】
ステップ２０１〜ステップ２０４では、まず、ＵＥは、Ｅ−ＵＴＲＡＮを介してＥＰＳネットワークにアクセスする。ＭＭＥは、位置更新プロセスをＨＳＳにおいて開始する。ＨＳＳは、ＵＥが登録されているＭＭＥアドレスを記憶する。
【０００７】
ステップ２０５〜ステップ２０８では、ＵＥは、ＵＴＲＡＮ／ＧＥＲＡＮを介してＥＰＳネットワークにアクセスするように切り替える。ＳＧＳＮは、位置更新プロセスをＨＳＳに開始させる。ＨＳＳは、ＵＥが登録されているＳＧＳＮアドレスを記憶する。
【０００８】
ステップ２０９〜ステップ２１１では、ＭＭＥは、ＭＭＥが提供するＥ−ＵＴＲＡＮアクセスネットワークにおいて、ＵＥが長時間イナクティブ状態にあることを検出する。検出すると、ＭＭＥは、ＵＥパージプロセスをＨＳＳに開始させる。ＨＳＳは、要求メッセージに含まれるソースアドレスと、全ての登録済みネットワークアドレスの中の１つのネットワークアドレスとのマッチングを判断する。ＨＳＳは、ソースアドレスとＭＭＥアドレスとがマッチングすることを検出する。検出すると、ＨＳＳは、ＭＭＥからＵＥをパージし、関連するＵＥパージ動作を実行する。
【０００９】
ステップ２１２〜ステップ２１４では、ＳＧＳＮは、ＳＧＳＮが提供するＵＴＲＡＮ／ＧＥＲＡＮアクセスネットワークにおいて、ＵＥが長時間イナクティブ状態にあることを検出する。検出すると、ＳＧＳＮは、ＵＥパージプロセスをＨＳＳに開始させる。ＨＳＳは、要求メッセージに含まれるソースアドレスと、全ての登録済みネットワークアドレスの中の１つのネットワークアドレスとのマッチングを判断する。ＨＳＳは、ソースアドレスとＳＧＳＮアドレスとがマッチングすることを検出する。検出すると、ＨＳＳは、ＳＧＳＮからＵＥをパージし、関連するＵＥパージ動作を実行する。
【００１０】
更に、通信事業者は、ネットワークを構成するにあたり、ＭＭＥノードとＳＧＳＮとを一体的に構成し、且つ、同一のネットワークノード又は異なるネットワークノードを利用する可能性がある。図３は、従来技術において、異なるアクセスネットワークを介して行われる、ＵＥログイン（登録）プロセス及びＵＥパージプロセスを示す。登録ネットワークノードとしてのＭＭＥとＳＧＳＮとは、一体的に構成される。そして、複合（ｃｏｍｂｉｎｅｄ）ノードにおいて、ＭＭＥアドレスとＳＧＳＮアドレスとは異なるものとする。これらのプロセスは、以下のステップを含む。
【００１１】
ステップ３０１〜ステップ３０４では、まず、ＵＥは、Ｅ−ＵＴＲＡＮを介してＥＰＳネットワークにアクセスする。複合ノードは、Ｓ６ａインターフェースを介して、位置更新プロセスをＨＳＳに開始させる。ソースアドレスは、複合ノード内のＭＭＥアドレスである。ＨＳＳは、複合ノード内の、ＵＥが登録されているＭＭＥアドレスを記憶する。
【００１２】
ステップ３０６〜ステップ３０８では、ＵＥは、ＵＴＲＡＮ／ＧＥＲＡＮを介してＥＰＳネットワークにアクセスするように切り替える。複合ノードは、Ｓ６ｄインターフェースを介して、位置更新プロセスをＨＳＳに開始させる。ソースアドレスは、複合ノード内のＳＧＳＮアドレスである。ＨＳＳは、複合ノード内の、ＵＥが登録されているＳＧＳＮアドレスを記憶する。
【００１３】
ステップ３０９〜ステップ３１１では、複合ノードは、複合ノードが提供するＥ−ＵＴＲＡＮアクセスネットワークにおいて、ＵＥが長時間イナクティブ状態にあることを検出する。検出すると、複合ノードは、Ｓ６ａインターフェースを介して、ＵＥパージプロセスをＨＳＳに開始させる。ＨＳＳは、要求メッセージに含まれるソースアドレスと、全ての登録済みネットワークアドレスの中の１つのネットワークアドレスとのマッチングを判断する。複合ノードは、ソースアドレスとＭＭＥアドレスとがマッチングすることを検出する。検出すると、複合ノードは、ＭＭＥからＵＥをパージし、関連するＵＥパージ動作を実行する。
【００１４】
図４は、従来技術において、異なるアクセスネットワークを介して行われる、ＵＥログイン（登録）プロセス及びＵＥパージプロセスを示す。登録ネットワークノードとしてのＭＭＥとＳＧＳＮとは、一体的に構成される。そして、複合ノードにおいて、ＭＭＥアドレスとＳＧＳＮアドレスとは同じであるものとする。これらのプロセスは、以下のステップを含む。
【００１５】
ステップ４０１〜ステップ４０４では、まず、ＵＥは、Ｅ−ＵＴＲＡＮを介してＥＰＳネットワークにアクセスする。複合ノードは、Ｓ６ａインターフェースを介して、位置更新プロセスをＨＳＳに開始させる。ソースアドレスは、複合ノード内のＭＭＥアドレスである。ＨＳＳは、複合ノード内の、ＵＥが登録されているＭＭＥアドレスを記憶する。
【００１６】
ステップ４０６〜ステップ４０８では、ＵＥは、ＵＴＲＡＮ／ＧＥＲＡＮを介してＥＰＳネットワークにアクセスするように切り替える。複合ノードは、Ｓ６ｄインターフェースを介して、位置更新プロセスをＨＳＳに開始させる。ソースアドレスは、複合ノード内のＳＧＳＮアドレスである。ＨＳＳは、複合ノード内の、ＵＥが登録されているＳＧＳＮアドレスを記憶する。
【００１７】
ステップ４０９〜ステップ４１１では、複合ノードは、複合ノードが提供するＥ−ＵＴＲＡＮアクセスネットワークにおいて、ＵＥが長時間イナクティブ状態にあることを検出する。検出すると、複合ノードは、Ｓ６ａインターフェースを介して、ＵＥパージプロセスをＨＳＳに開始させる。ＨＳＳは、要求メッセージに含まれるソースアドレスと、全ての登録済みネットワークアドレスの中の１つのネットワークアドレスとのマッチングを判断する。登録済みの複合ノードにおいて、ＭＭＥアドレスとＳＧＳＮアドレスとは同じである。このため、ソースアドレスと、ＭＭＥアドレスとＳＧＳＮアドレスとの両方とのマッチングを判断する。これにより、ＨＨＳは、ＭＭＥ及びＳＧＳＮの両方からＵＥをパージし、関連するＵＥパージ動作を実行する。
【００１８】
前記プロセスのように、ＨＳＳは、ネットワークノードからのＵＥパージ要求を受信した場合、要求メッセージに含まれるソースアドレスと、全ての登録済みネットワークアドレスの中の１つのネットワークアドレスとのマッチングを判断する。ソースアドレスが特定のネットワークエンティティのアドレス（例えば、ＭＭＥ、ＳＧＳＮ）とマッチングするとき、この特定のネットワークエンティティからＵＥをパージする。このようなマッチング方式では、ＭＭＥノードアドレスとＳＧＳＮアドレスとが異なる場合、相互インターフェースは行われない。即ち、ＭＭＥノードでのＵＥパージプロセスは、ＳＧＳＮにおけるＵＥの登録ステータス（ＨＳＳに記憶されている）に影響を与えない。あるいは、ＳＧＳＮでのＵＥパージプロセスは、ＭＭＥノードにおけるＵＥの登録ステータス（ＨＳＳに記憶されている）にも影響を与えない。しかしながら、ＭＭＥノードとＳＧＳＮとが一体的に構成されて同一のノードアドレスを利用する場合、このようなマッチング方式では、複合ノードがＵＥパージプロセスを行う最中に、ＭＭＥノードでのＵＥの登録ステータス（ＨＳＳに記憶されている）と、ＳＧＳＮでのＵＥの登録ステータス（ＨＳＳに記憶されている）とが、パージされてしまう。
【００１９】
明らかに、このような処理方式は不適当である。図４の応用場面では、複合ノードがＵＥパージプロセスを開始すると、次のような問題を引き起こすおそれがある。すなわち、ＭＭＥ又はＳＧＳＮにおいてＵＥの登録ステータスが「登録済み」であるにも拘らず、ＨＳＳは、誤ってＵＥをパージしてしまう。
【発明の概要】
【発明が解決しようとする課題】
【００２０】
本発明が解決しようとする技術的課題は、複合ノードがＵＥパージプロセスを開始すると、ＭＭＥ又はＳＧＳＮにおいてＵＥの登録ステータスが「登録済み」であるにも拘らず、ＨＳＳが誤ってＵＥをパージしてしまう、という問題を解決することが可能なユーザ端末パージ方法及びシステムを提供することにある。
【課題を解決するための手段】
【００２１】
上記の技術的課題を解決するために、本発明に係るユーザ端末パージ方法は、
複合ノードが、前記複合ノードに含まれる全てのモバイル管理ネットワーク要素におけるユーザ端末（Ｕｓｅｒ  Ｅｑｕｉｐｍｅｎｔ：ＵＥ）の登録ステータスが、いずれも未登録であり、且つ、ホーム加入者サーバ（Ｈｏｍｅ  Ｓｕｂｓｃｒｉｂｅｒ  Ｓｅｒｖｅｒ：ＨＳＳ）に記憶された前記ＵＥの登録ステータスと一致しないと判定する場合、複合ノードは、前記ＵＥのパージプロセスをＨＳＳに開始させ、
前記複合ノードは、１つ以上のモバイル管理ネットワーク要素を含む。
【００２２】
前記方法は、さらに、以下の構成を含んでもよい。
前記複合ノードに含まれる全てのモバイル管理ネットワーク要素においてＵＥの登録ステータスがいずれも未登録であることは、
前記複合ノードに含まれる各モバイル管理ネットワーク要素において、ＵＥの加入者データが存在しない若しくは削除されたことを示し、又は
前記複合ノードに含まれる各モバイル管理ネットワーク要素が、前記モバイル管理ネットワーク要素において、ＵＥパージ済みのマークを設定したことを示す。
【００２３】
前記方法は、さらに、以下の構成を含んでもよい。
前記ＨＳＳに記憶された前記ＵＥの登録ステータスは、
前記ＨＳＳが、前記モバイル管理ネットワーク要素において、ＵＥパージ済みのマークを設定したことを示し、又は
前記ＨＳＳが、前記モバイル管理ネットワーク要素において、ＵＥパージ済みのマークを消去し、前記ＨＳＳが、ＵＥが登録された複合ノードに含まれる全てのモバイル管理ネットワーク要素のアドレスを記憶することを示す。
【００２４】
前記方法は、さらに、以下の構成を含んでもよい。
前記複合ノードは、２つのモバイル管理ネットワーク要素を含み、
第１のモバイル管理ネットワーク要素が、モビリティ管理エンティティ（Ｍｏｂｉｌｉｔｙ  Ｍａｎａｇｅｍｅｎｔ  Ｅｎｔｉｔｙ：ＭＭＥ）であり、第２のモバイル管理ネットワーク要素が、サービングＧＰＲＳサポートノード（Ｓｅｒｖｉｎｇ  ＧＰＲＳ  Ｓｕｐｐｏｒｔ  Ｎｏｄｅ：ＳＧＳＮ）（ＧＰＲＳ：Ｇｅｎｅｒａｌ  Ｐａｃｋｅｔ  Ｒａｄｉｏ  Ｓｅｒｖｉｃｅｓ、汎用パケット無線サービス）であり、又は
第１のモバイル管理ネットワーク要素が、ＳＧＳＮであり、第２のモバイル管理ネットワーク要素が、ＭＭＥであり、
前記第１のモバイル管理ネットワーク要素のアドレスと、第２のモバイル管理ネットワーク要素のアドレスとは、同じである。
【００２５】
前記方法は、さらに、以下の構成を含んでもよい。
前記複合ノードは、さらに、
前記第１のモバイル管理ネットワーク要素におけるＵＥの加入者データを自動的に削除する場合、前記第２のモバイル管理ネットワーク要素における前記ＵＥの登録ステータスを検査し、
前記第２のモバイル管理ネットワーク要素における前記ＵＥの登録ステータスが未登録である場合、前記複合ノードに含まれる全てのモバイル管理ネットワーク要素において、ＵＥの登録ステータスが、いずれも未登録であり、且つ、前記ＨＳＳに記憶された登録ステータスと一致しないと判定し、
前記ＵＥのパージプロセスをＨＳＳに開始させる。
【００２６】
前記方法は、さらに、以下の構成を含んでもよい。
前記第２のモバイル管理ネットワーク要素における前記ＵＥの登録ステータスを検査するステップは、
前記第２のモバイル管理ネットワーク要素において前記ＵＥの登録ステータスが未登録である場合、前記複合ノードは、前記第２のモバイル管理ネットワーク要素において、前記ＵＥパージ済みのマークを消去し、
前記第２のモバイル管理ネットワーク要素において前記ＵＥの登録ステータスが登録済みである場合、前記複合ノードは、前記第１のモバイル管理ネットワーク要素において、前記ＵＥパージ済みのマークを設定する。
【００２７】
前記方法は、さらに、以下の構成を含んでもよい。
前記複合ノードは、さらに、
ＨＳＳからの位置パージメッセージを受信し、
前記位置パージメッセージの位置パージタイプが、第１のモバイル管理ネットワーク要素更新プロセスである場合、
前記第１のモバイル管理ネットワーク要素における前記ＵＥパージ済みのマークを消去し、
前記第２のモバイル管理ネットワーク要素における前記ＵＥの登録ステータスを検査し、
前記第２のモバイル管理ネットワーク要素における前記ＵＥの登録ステータスが未登録である場合、前記複合ノードに含まれる全てのモバイル管理ネットワーク要素におけるＵＥの登録ステータスが、いずれも未登録であり、且つ、前記ＨＳＳに記憶された登録ステータスと一致しないと判定し、
前記ＵＥのパージプロセスをＨＳＳに開始させ、
前記位置パージメッセージの位置パージタイプが、第２のモバイル管理ネットワーク要素更新プロセスである場合、
前記第２のモバイル管理ネットワーク要素における前記ＵＥパージ済みのマークを消去し、
前記第１のモバイル管理ネットワーク要素における前記ＵＥの登録ステータスを検査し、
前記第１のモバイル管理ネットワーク要素における前記ＵＥの登録ステータスが未登録である場合、前記複合ノードに含まれる全てのモバイル管理ネットワーク要素におけるＵＥの登録ステータスが、いずれも未登録であり、且つ、前記ＨＳＳに記憶された登録ステータスと一致しないと判定し、
前記ＵＥのパージプロセスをＨＳＳに開始させる。
【００２８】
本発明に係るユーザ端末パージシステムは、ホーム加入者サーバ（Ｈｏｍｅ  Ｓｕｂｓｃｒｉｂｅｒ  Ｓｅｒｖｅｒ：ＨＳＳ）と、
１以上のモバイル管理ネットワーク要素を含む複合ノードとを含み、
前記複合ノードは、前記複合ノードに含まれる全てのモバイル管理ネットワーク要素におけるユーザ端末（Ｕｓｅｒ  Ｅｑｕｉｐｍｅｎｔ：ＵＥ）の登録ステータスが、いずれも未登録であり、且つ、ＨＳＳに記憶された前記ＵＥの登録ステータスと一致しないと判定する場合、前記ＵＥのパージプロセスをＨＳＳに開始させる。
【００２９】
前記システムは、さらに、以下の構成を含んでもよい。
前記複合ノードに含まれる全てのモバイル管理ネットワーク要素においてＵＥの登録ステータスがいずれも未登録であることは、
前記複合ノードに含まれる各モバイル管理ネットワーク要素において、ＵＥの加入者データが存在しない若しくは削除されたことを示し、又は
前記複合ノードに含まれる各モバイル管理ネットワーク要素が、前記モバイル管理ネットワーク要素において、ＵＥパージ済みのマークを設定したことを示す。
【００３０】
前記システムは、さらに、以下の構成を含んでもよい。
前記ＨＳＳに記憶された前記ＵＥの登録ステータスは、
前記ＨＳＳが、前記モバイル管理ネットワーク要素において、ＵＥパージ済みのマークを設定したことを示し、又は
前記ＨＳＳが、前記モバイル管理ネットワーク要素において、ＵＥパージ済みのマークを消去し、前記ＨＳＳが、ＵＥが登録された複合ノードに含まれる全てのモバイル管理ネットワーク要素のアドレスを記憶することを示す。
【００３１】
前記システムは、さらに、以下の構成を含んでもよい。
前記複合ノードは、２つのモバイル管理ネットワーク要素を含み、
第１のモバイル管理ネットワーク要素が、モビリティ管理エンティティ（Ｍｏｂｉｌｉｔｙ  Ｍａｎａｇｅｍｅｎｔ  Ｅｎｔｉｔｙ：ＭＭＥ）であり、第２のモバイル管理ネットワーク要素が、サービングＧＰＲＳサポートノード（Ｓｅｒｖｉｎｇ  ＧＰＲＳ  Ｓｕｐｐｏｒｔ  Ｎｏｄｅ：ＳＧＳＮ）（ＧＰＲＳ：Ｇｅｎｅｒａｌ  Ｐａｃｋｅｔ  Ｒａｄｉｏ  Ｓｅｒｖｉｃｅｓ、汎用パケット無線サービス）であり、又は
第１のモバイル管理ネットワーク要素が、ＳＧＳＮであり、第２のモバイル管理ネットワーク要素が、ＭＭＥであり、
前記第１のモバイル管理ネットワーク要素のアドレスと、第２のモバイル管理ネットワーク要素のアドレスとは、同じである。
【００３２】
前記システムは、さらに、以下の構成を含んでもよい。
前記複合ノードは、さらに、
前記第１のモバイル管理ネットワーク要素におけるＵＥの加入者データを自動的に削除する場合、前記第２のモバイル管理ネットワーク要素における前記ＵＥの登録ステータスを検査し、
前記第２のモバイル管理ネットワーク要素における前記ＵＥの登録ステータスが未登録である場合、前記複合ノードは、前記複合ノードに含まれる全てのモバイル管理ネットワーク要素において、ＵＥの登録ステータスが、いずれも未登録であり、且つ、前記ＨＳＳに記憶された登録ステータスと一致しないと判定し、
前記ＵＥのパージプロセスをＨＳＳに開始させる。
【００３３】
前記システムは、さらに、以下の構成を含んでもよい。
前記複合ノードは、さらに、
前記第２のモバイル管理ネットワーク要素において前記ＵＥの登録ステータスが未登録である場合、前記複合ノードは、前記第２のモバイル管理ネットワーク要素において、前記ＵＥパージ済みのマークを消去し、
前記第２のモバイル管理ネットワーク要素において前記ＵＥの登録ステータスが登録済みである場合、前記複合ノードは、前記第１のモバイル管理ネットワーク要素において、前記ＵＥパージ済みのマークを設定する。
【００３４】
前記システムは、さらに、以下の構成を含んでもよい。
前記複合ノードは、ＨＳＳからの位置パージメッセージを受信した後、
前記位置パージメッセージの位置パージタイプが、第１のモバイル管理ネットワーク要素更新プロセスである場合、
前記第１のモバイル管理ネットワーク要素における前記ＵＥパージ済みのマークを消去し、
前記第２のモバイル管理ネットワーク要素における前記ＵＥの登録ステータスを検査し、
前記第２のモバイル管理ネットワーク要素における前記ＵＥの登録ステータスが未登録である場合、前記複合ノードに含まれる全てのモバイル管理ネットワーク要素におけるＵＥの登録ステータスが、いずれも未登録であり、且つ、前記ＨＳＳに記憶された登録ステータスと一致しないと判定し、
前記ＵＥのパージプロセスをＨＳＳに開始させ、
前記位置パージメッセージの位置パージタイプが、第２のモバイル管理ネットワーク要素更新プロセスである場合、
前記第２のモバイル管理ネットワーク要素における前記ＵＥパージ済みのマークを消去し、
前記第１のモバイル管理ネットワーク要素における前記ＵＥの登録ステータスを検査し、
前記第１のモバイル管理ネットワーク要素における前記ＵＥの登録ステータスが未登録である場合、前記複合ノードに含まれる全てのモバイル管理ネットワーク要素におけるＵＥの登録ステータスが、いずれも未登録であり、且つ、前記ＨＳＳに記憶された登録ステータスと一致しないと判定し、
前記ＵＥのパージプロセスをＨＳＳに開始させる。
【発明の効果】
【００３５】
本発明に係るユーザ端末パージ方法及びシステムによれば、簡便に実現でき、従来技術における技術的課題を有効的に解決できる。
【図面の簡単な説明】
【００３６】
【図１】従来技術におけるパケット交換データネットワークの発展型参照アーキテクチャを示す図である。
【図２】従来技術における、異なるアクセスネットワークを介して行われる、ＵＥログイン（登録）プロセス及びＵＥパージプロセスを示す図であり、登録ネットワークノードであるＭＭＥとＳＧＳＮとがそれぞれ独立して構成される応用場面を示す。
【図３】従来技術において、異なるアクセスネットワークを介して行われる、ＵＥログイン（登録）プロセス及びＵＥパージプロセスを示す図であり、登録ネットワークノードであるＭＭＥとＳＧＳＮとが一体的に構成され、複合ノード内のＭＭＥアドレスとＳＧＳＮアドレスとが異なる応用場面を示す。
【図４】従来技術において、異なるアクセスネットワークを介して行われる、ＵＥログイン（登録）プロセス及びＵＥパージプロセスを示す図であり、登録ネットワークノードであるＭＭＥとＳＧＳＮとが一体的に構成され、複合ノード内のＭＭＥアドレスとＳＧＳＮアドレスとが同じである応用場面を示す。
【図５Ａ１】本発明に係る実施形態において、図４の応用場面において、複合ノードによって提供されるＥ−ＵＴＲＡＮにおいてＵＥが長時間イナクティブ状態にある場合、複合ノードにより行われるＵＥパージプロセスを示す図であり、ＭＭＥにおける加入者データと、ＳＧＳＮにおける加入者データとは、それぞれ別々に記憶される。
【図５Ａ２】本発明に係る実施形態において、図４の応用場面において、複合ノードによって提供されるＥ−ＵＴＲＡＮにおいてＵＥが長時間イナクティブ状態にある場合、複合ノードにより行われるＵＥパージプロセスを示す図であり、ＭＭＥにおける加入者データと、ＳＧＳＮにおける加入者データとは、それぞれ別々に又は一体的に記憶される。
【図５Ｂ１】本発明に係る実施形態において、図４の応用場面において、複合ノードによって提供されるＵＴＲＡＮ／ＧＥＲＡＮにおいてＵＥが長時間イナクティブ状態にある場合、複合ノードにより行われるＵＥパージプロセスを示す図であり、ＭＭＥにおける加入者データと、ＳＧＳＮにおける加入者データとは、それぞれ別々に記憶される。
【図５Ｂ２】本発明に係る実施形態において、図４の応用場面において、複合ノードによって提供されるＵＴＲＡＮ／ＧＥＲＡＮにおいてＵＥが長時間イナクティブ状態にある場合、複合ノードにより行われるＵＥパージプロセスを示す図であり、ＭＭＥにおける加入者データと、ＳＧＳＮにおける加入者データとは、それぞれ別々に又は一体的に記憶される。
【図６Ａ１】本発明に係る実施形態において、図４の応用場面において、複合ノードが受信する位置パージメッセージに含まれるパージタイプがＭＭＥ更新プロセスである場合、複合ノードにより行われるＵＥパージプロセスを示す図であり、ＭＭＥにおける加入者データと、ＳＧＳＮにおける加入者データとは、それぞれ別々に記憶される。
【図６Ａ２】本発明に係る実施形態において、図４の応用場面において、複合ノードが受信する位置パージメッセージに含まれるパージタイプがＭＭＥ更新プロセスである場合、複合ノードにより行われるＵＥパージプロセスを示す図であり、ＭＭＥにおける加入者データと、ＳＧＳＮにおける加入者データとは、それぞれ別々に又は一体的に記憶される。
【図６Ｂ１】本発明に係る実施形態において、図４の応用場面において、複合ノードが受信する位置パージメッセージに含まれるパージタイプがＳＧＳＮ更新プロセスである場合、複合ノードにより行われるＵＥパージプロセスを示す図であり、ＭＭＥにおける加入者データと、ＳＧＳＮにおける加入者データとは、それぞれ別々に記憶される。
【図６Ｂ２】本発明に係る実施形態において、図４の応用場面において、複合ノードが受信する位置パージメッセージに含まれるパージタイプがＳＧＳＮ更新プロセスである場合、複合ノードにより行われるＵＥパージプロセスを示す図であり、ＭＭＥにおける加入者データと、ＳＧＳＮにおける加入者データとは、それぞれ別々に又は一体的に記憶される。
【発明を実施するための形態】
【００３７】
本発明の基本的な着想は、以下のとおりである。複合ノードが、複合ノードに含まれる全てのモバイル管理ネットワーク要素におけるＵＥの登録ステータスが、いずれも未登録であり、且つ、ＨＳＳに記憶されたＵＥの登録ステータスと一致しないと判定する場合、複合ノードは、ＵＥのパージプロセスをＨＳＳに開始させる。
【００３８】
ここで、複合ノードは、１つ以上のモバイル管理ネットワーク要素を含む。
【００３９】
以下、図面及び具体的な実施形態を参照して本発明を詳しく説明する。
【００４０】
本実施形態において、複合ノードは、２つのモバイル管理ネットワーク要素（すなわち、第１のモバイル管理ネットワーク要素及び第２のモバイル管理ネットワーク要素）を含む。
【００４１】
ここで、第１のモバイル管理ネットワーク要素がＭＭＥであり、第２のモバイル管理ネットワーク要素がＳＧＳＮである。あるいは、第１のモバイル管理ネットワーク要素がＳＧＳＮであり、第２のモバイル管理ネットワーク要素がＭＭＥである。
【００４２】
第１のモバイル管理ネットワーク要素のアドレスと、第２のモバイル管理ネットワーク要素のアドレスとは、同じである。即ち、複合ノードに含まれるＭＭＥアドレスとＳＧＳＮアドレスが同じである。
【００４３】
本実施形態では、以下の２つのケースの下、複合ノードは、ＵＥのパージプロセスをＨＳＳに開始させる。第１のケースは、複合ノードが、モバイル管理ネットワーク要素におけるＵＥの加入者データを自動的に（ａｃｔｉｖｅｌｙ）削除することである。一般的には、複合ノードが、当該複合ノードを利用する特定のアクセスネットワークにおいて、ＵＥが長時間イナクティブ状態にあることを検出したときに行われる。第２のケースは、複合ノードがＨＳＳから位置パージメッセージを受信することである。
【００４４】
１．複合ノードが、モバイル管理ネットワーク要素におけるＵＥの加入者データを自動的に削除するケース
（１）例えば、複合ノードが第１のモバイル管理ネットワーク要素において、ＵＥの加入者データを自動的に削除すると、複合ノードは、第２のモバイル管理ネットワーク要素におけるＵＥの登録ステータスを検査する。第２のモバイル管理ネットワーク要素において、ＵＥの登録ステータスが「未登録」であるとする。即ち、第２のモバイル管理ネットワーク要素において、ＵＥの加入者データが存在しない又は削除済みであるとする。あるいは、第２のモバイル管理ネットワーク要素において、「ＵＥパージ済み」のマークが設定されているとする。これらの場合、複合ノードは、複合ノードに含まれる全てのモバイル管理ネットワーク要素において、ＵＥの登録ステータスがいずれも未登録であり、且つ、ＨＳＳに記憶された登録ステータスと一致しないと判定する。このため、複合ノードは、ＵＥのパージプロセスをＨＳＳに開始させる。一方、第２のモバイル管理ネットワーク要素において、登録ステータスが「登録済み」であるとする。即ち、第２のモバイル管理ネットワーク要素において、ＵＥの加入者データが存在するとする。あるいは、第２のモバイル管理ネットワーク要素において、「ＵＥパージ済み」のマークが設定されておらず、「消去」状態にあるとする。これらの場合、複合ノードは、ＵＥのパージプロセスを開始しない。
【００４５】
複合ノードは、第２のモバイル管理ネットワーク要素におけるＵＥの登録ステータスを検査する。このとき、第２のモバイル管理ネットワーク要素におけるＵＥの登録ステータスが「未登録」である場合、複合ノードは、第２のモバイル管理ネットワーク要素における「ＵＥパージ済み」のマークを消去する。一方、第２のモバイル管理ネットワーク要素におけるＵＥの登録ステータス登録ステータスが「登録済み」である場合、複合ノードは、第１のモバイル管理ネットワーク要素における「ＵＥパージ済み」のマークを設定する。
【００４６】
（２）例えば、複合ノードが第２のモバイル管理ネットワーク要素において、ＵＥの加入者データを自動的に削除すると、複合ノードは、第１のモバイル管理ネットワーク要素におけるＵＥの登録ステータスを検査する。第１のモバイル管理ネットワーク要素において、ＵＥの登録ステータスが「未登録」であるとする。即ち、第１のモバイル管理ネットワーク要素において、ＵＥの加入者データが存在しない又は削除済みであるとする。あるいは、第１のモバイル管理ネットワーク要素において、「ＵＥパージ済み」のマークが設定されているとする。これらの場合、複合ノードは、複合ノードに含まれる全てのモバイル管理ネットワーク要素において、ＵＥの登録ステータスがいずれも未登録であり、且つ、ＨＳＳに記憶された登録ステータスと一致しないと判定する。このため、複合ノードは、ＵＥのパージプロセスをＨＳＳに開始させる。一方、第１のモバイル管理ネットワーク要素において、登録ステータスが「登録済み」であるとする。即ち、第１のモバイル管理ネットワーク要素において、ＵＥの加入者データが存在するとする。あるいは、第１のモバイル管理ネットワーク要素において、「ＵＥパージ済み」のマークが設定されておらず、「消去」状態にあるとする。これらの場合、複合ノードは、ＵＥのパージプロセスを開始しない。
【００４７】
複合ノードは、第１のモバイル管理ネットワーク要素におけるＵＥの登録ステータスを検査する。このとき、第１のモバイル管理ネットワーク要素におけるＵＥの登録ステータスが「未登録」である場合、複合ノードは、第１のモバイル管理ネットワーク要素における「ＵＥパージ済み」のマークを消去する。一方、第１のモバイル管理ネットワーク要素におけるＵＥの登録ステータス登録ステータスが「登録済み」である場合、複合ノードは、第２のモバイル管理ネットワーク要素における「ＵＥパージ済み」のマークを設定する。
【００４８】
２．複合ノードが、ＨＳＳから、位置パージメッセージを受信するケース
（１）位置パージメッセージに含まれる位置パージタイプが、第１のモバイル管理ネットワーク要素の更新プロセスであるとする。この場合、複合ノードは、第１のモバイル管理ネットワーク要素での「ＵＥパージ済み」のマークを消去する。また、複合ノードは、第２のモバイル管理ネットワーク要素におけるＵＥの登録ステータスを検査する。第２のモバイル管理ネットワーク要素におけるＵＥの登録ステータスが「未登録」であるとする。即ち、第２のモバイル管理ネットワーク要素において、ＵＥの加入者データが存在しない又は削除済みであるとする。あるいは、第２のモバイル管理ネットワーク要素において、「ＵＥパージ済み」のマークが設定されているとする。これらの場合、複合ノードは、複合ノードに含まれる全てのモバイル管理ネットワーク要素において、ＵＥの登録ステータスがいずれも未登録であり、且つ、ＨＳＳに記憶された登録ステータスと一致しないと判定する。このため、複合ノードは、ＵＥのパージプロセスをＨＳＳに開始させる。一方、第２のモバイル管理ネットワーク要素において、登録ステータスが「登録済み」であるとする。即ち、第２のモバイル管理ネットワーク要素において、ＵＥの加入者データが存在するとする。あるいは、第２のモバイル管理ネットワーク要素において、「ＵＥパージ済み」のマークが設定されておらず、「消去」状態にあるとする。これらの場合、複合ノードは、ＵＥのパージプロセスを開始しない。
【００４９】
（２）位置パージメッセージに含まれる位置パージタイプが、第１のモバイル管理ネットワーク要素の更新プロセスであるとする。この場合、複合ノードは、第１のモバイル管理ネットワーク要素での「ＵＥパージ済み」のマークを消去する。また、複合ノードは、第２のモバイル管理ネットワーク要素におけるＵＥの登録ステータスを検査する。第２のモバイル管理ネットワーク要素におけるＵＥの登録ステータスが「未登録」であるとする。即ち、第２のモバイル管理ネットワーク要素において、ＵＥの加入者データが存在しない又は削除済みであるとする。あるいは、第２のモバイル管理ネットワーク要素において、「ＵＥパージ済み」のマークが設定されているとする。これらの場合、複合ノードは、複合ノードに含まれる全てのモバイル管理ネットワーク要素において、ＵＥの登録ステータスがいずれも未登録であり、且つ、ＨＳＳに記憶された登録ステータスと一致しないと判定する。このため、複合ノードは、ＵＥのパージプロセスをＨＳＳに開始させる。一方、第２のモバイル管理ネットワーク要素において、登録ステータスが「登録済み」であるとする。即ち、第２のモバイル管理ネットワーク要素において、ＵＥの加入者データが存在するとする。あるいは、第２のモバイル管理ネットワーク要素において、「ＵＥパージ済み」のマークが設定されておらず、「消去」状態にあるとする。これらの場合、複合ノードは、ＵＥのパージプロセスを開始しない。
【００５０】
なお、本発明では、特定のモバイル管理ネットワーク要素において「ＵＥパージ済み」のマークを消去するとした。これは、動作の前に、モバイル管理ネットワーク要素において「ＵＥパージ済み」のマークが必ず設定されている、ということを意味するわけではない。即ち、消去する前の当該マークのステータスは、設定済みであってよいし、未設定であってもよい。ここでは、「消去」とは、当該マークが「設定されていない」ステータスを意味する。もちろん、マークのステータスを先に判定し、「設定済み」である場合、マークを消去する方式を採用してもよい。
【００５１】
本発明の実施形態に係るユーザ端末パージシステムは、ＨＳＳと、複合ノードとを含む。複合ノードは、１つ以上のモバイル管理ネットワーク要素を含む。
【００５２】
複合ノードは、複合ノードに含まれる全てのモバイル管理ネットワーク要素において、ＵＥの登録ステータスがいずれも未登録であり、且つ、ＨＳＳに記憶された登録ステータスと一致しないと判定する。この場合、複合ノードは、ＵＥのパージプロセスをＨＳＳに開始させる。
【００５３】
複合ノードは、２つのモバイル管理ネットワーク要素を含む。
【００５４】
ここで、第１のモバイル管理ネットワーク要素は、ＭＭＥである。第２のモバイル管理ネットワーク要素は、ＳＧＳＮである。あるいは、第１のモバイル管理ネットワーク要素は、ＳＧＳＮである。第２のモバイル管理ネットワーク要素は、ＭＭＥである。
【００５５】
第１のモバイル管理ネットワーク要素のアドレスと、第２のモバイル管理ネットワーク要素のアドレスとは、同じである。
【００５６】
さらに、複合ノードは、第１のモバイル管理ネットワーク要素において、ＵＥの加入者データを自動的に削除する。この場合、複合ノードは、第２のモバイル管理ネットワーク要素におけるＵＥの登録ステータスを検査する。第２のモバイル管理ネットワーク要素におけるＵＥの登録ステータスが「未登録」であるとする。即ち、第２のモバイル管理ネットワーク要素において、ＵＥの加入者データが存在しない又は削除済みであるとする。あるいは、第２のモバイル管理ネットワーク要素において、「ＵＥパージ済み」のマークが設定されているとする。これらの場合、複合ノードは、複合ノードに含まれる全てのモバイル管理ネットワーク要素において、ＵＥの登録ステータスが「未登録」であり、且つ、当該ステータスはＨＳＳに記憶された登録ステータスと一致しないと判定する。このため、複合ノードは、ＵＥのパージプロセスをＨＳＳに開始させる。
【００５７】
さらに、複合ノードは、第１のモバイル管理ネットワーク要素において、ＵＥの加入者データを自動的に削除する場合、第２のモバイル管理ネットワーク要素におけるＵＥの登録ステータスを検査する。第２のモバイル管理ネットワーク要素におけるＵＥの登録ステータスが「未登録」である場合、複合ノードは、第２のモバイル管理ネットワーク要素において、「ＵＥパージ済み」のマークを消去する。第２のモバイル管理ネットワーク要素におけるＵＥの登録ステータスが「登録済み」である場合、複合ノードは、第１のモバイル管理ネットワーク要素において、「ＵＥパージ済み」のマークを設定する。
【００５８】
さらに、複合ノードは、ＨＳＳから位置パージメッセージを受信した後、第１のモバイル管理ネットワーク要素において、「ＵＥパージ済み」のマークを消去する。位置パージメッセージに含まれる位置パージタイプが、第１のモバイル管理ネットワーク要素更新プロセスであるとする。この場合、複合ノードは、第２のモバイル管理ネットワーク要素におけるＵＥの登録ステータスを検査する。第２のモバイル管理ネットワーク要素におけるＵＥの登録ステータスが「未登録」であるとする。即ち、第２のモバイル管理ネットワーク要素において、ＵＥの加入者データが存在しない又は削除されているとする。あるいは、第２のモバイル管理ネットワーク要素において、「ＵＥパージ済み」のマークが設定されているとする。これらの場合、複合ノードは、複合ノードに含まれる全てのモバイル管理ネットワーク要素において、ＵＥの登録ステータスがいずれも未登録であり、且つ、ＨＳＳに記憶された登録ステータスと一致しないと判定する。このため、複合ノードは、ＵＥのパージプロセスをＨＳＳに開始させる。一方、位置パージメッセージに含まれる位置パージタイプが、第２のモバイル管理ネットワーク要素更新プロセスであるとする。この場合、複合ノードは、第２のモバイル管理ネットワーク要素において、「ＵＥパージ済み」のマークを消去する。複合ノードは、第１のモバイル管理ネットワーク要素におけるＵＥの登録ステータスを検査する。第１のモバイル管理ネットワーク要素におけるＵＥの登録ステータスが「未登録」であるとする。即ち、第１のモバイル管理ネットワーク要素において、ＵＥの加入者データが存在しない又は削除されているとする。あるいは、第１のモバイル管理ネットワーク要素において、「ＵＥパージ済み」のマークが設定されているとする。これらの場合、複合ノードは、複合ノードに含まれる全てのモバイル管理ネットワーク要素において、ＵＥの登録ステータスがいずれも未登録であり、且つ、ＨＳＳに記憶された登録ステータスと一致しないと判定する。このため、複合ノードは、ＵＥのパージプロセスをＨＳＳに開始させる。
【００５９】
以下、具体的な実施形態を参照し、本発明の実現方式を更に詳しく説明する。
【００６０】
図５Ａ１は、本発明に係る実施形態において、図４の応用場面において、複合ノードによって提供されるＥ−ＵＴＲＡＮにおいてＵＥが長時間イナクティブ状態にある場合、複合ノードにより行われるＵＥパージプロセスを示す図である。ここで、ＭＭＥにおける加入者データと、ＳＧＳＮにおける加入者データとは、それぞれ別々に記憶される。
【００６１】
ステップ５０１Ａ１〜ステップ５０８Ａ１では、従来技術と同様に、ＵＥは、Ｅ−ＵＴＲＡＮとＵＴＲＡＮ／ＧＥＲＡＮを介して、ネットワークにそれぞれアクセスする。ＵＥは、同一の複合ＭＭＥ／ＳＧＳＮノードに登録される。ＨＳＳは、複合ＭＭＥ／ＳＧＳＮノードのＭＭＥアドレスと、ＳＧＳＮアドレスとをそれぞれ記憶する。ＨＳＳは、ＭＭＥにおける「ＵＥパージ済み」のマークと、ＳＧＳＮにおける「ＵＥパージ済み」のマークとを消去する。
【００６２】
ステップ５０９Ａ１では、複合ノードは、複合ノードを利用するＥ−ＵＴＲＡＮアクセスネットワークにおいて、ＵＥが長時間イナクティブ状態にあると検出する。あるいは、複合ノードは、何らかの理由により、ユーザの加入者情報を削除する。これらの場合、複合ノードは、複合ノードに含まれるＳＧＳＮにおけるＵＥの登録ステータスを検査する。ＳＧＳＮにおけるＵＥの登録ステータスが「未登録」であるとする。即ち、ＳＧＳＮにおけるＵＥの加入者データが存在しない又は削除されているとする。これらの場合、複合ノードは、ＵＥパージプロセスをＨＳＳに開始させる。
【００６３】
ＳＧＳＮにおけるＵＥの登録ステータスが「登録済み」であるとする。即ち、ＳＧＳＮにおいて、ＵＥの加入者データが存在するとする。これらの場合、複合ノードは、ＵＥパージプロセスをＨＳＳに開始させない。
【００６４】
ステップ５１０Ａ１〜ステップ５１２Ａ１では、従来技術と同様に、複合ノードは、ホーム加入者サーバ（ＨＳＳ）に、ＵＥパージメッセージを送信する。ＨＳＳは、要求メッセージに含まれるソースエンティティアドレスと、記憶されたＭＭＥアドレス及びＳＧＳＮアドレスのうちの１つのアドレスとのマッチングを判断する。ＨＳＳは、マッチング結果に応じて、ＭＭＥ又はＳＧＳＮにおける「ＵＥパージ済み」のマークを設定する。
【００６５】
図５Ａ２は、本発明に係る実施形態において、図４の応用場面において、複合ノードによって提供されるＥ−ＵＴＲＡＮにおいてＵＥが長時間イナクティブ状態にある場合、複合ノードにより行われるＵＥパージプロセスを示す図である。ここで、ＭＭＥにおける加入者データと、ＳＧＳＮにおける加入者データとは、それぞれ別々に又は一体的に記憶される。
【００６６】
ステップ５０１Ａ２〜ステップ５０８Ａ２では、従来技術と同様に、ＵＥは、Ｅ−ＵＴＲＡＮとＵＴＲＡＮ／ＧＥＲＡＮを介して、ネットワークにそれぞれアクセスする。ＵＥは、同一の複合ＭＭＥ／ＳＧＳＮノードに登録される。ＨＳＳは、複合ＭＭＥ／ＳＧＳＮノードのＭＭＥアドレスと、ＳＧＳＮアドレスとをそれぞれ記憶する。ＨＳＳは、ＭＭＥにおける「ＵＥパージ済み」のマークと、ＳＧＳＮにおける「ＵＥパージ済み」のマークとを消去する。複合ＭＭＥ／ＳＧＳＮノードは、ＭＭＥにおける「ＵＥパージ済み」のマークと、ＳＧＳＮにおける「ＵＥパージ済み」のマークとを消去する。
【００６７】
ステップ５０９Ａ２では、複合ノードは、複合ノードを利用するＥ−ＵＴＲＡＮアクセスネットワークにおいて、ＵＥが長時間イナクティブ状態にあると検出する。あるいは、複合ノードは、何らかの理由により、ユーザの加入者情報をこれから削除しようとする。（即ち、ＭＭＥにおいて、「ＵＥパージ済み」のマークを設定するが、ユーザの加入者情報を実際には削除していない。）これらの場合、複合ノードは、複合ノードに含まれるＳＧＳＮにおけるＵＥの登録ステータスを検査する。ＳＧＳＮにおけるＵＥの登録ステータスが「未登録」であるとする。即ち、ＳＧＳＮにおいて、「ＵＥパージ済み」のマークが設定されている。これらの場合、複合ノードは、ＭＭＥにおけるＵＥのユーザの加入者情報と、ＳＧＳＮにおけるＵＥのユーザの加入者情報とを削除する。あるいは、複合ノードは、一体的に記憶されたユーザの加入者情報を削除する。そして、複合ノードは、ＵＥパージプロセスをＨＳＳに開始させる。複合ノードは、ＳＧＳＮにおける「ＵＥパージ済み」のマークと、ＭＭＥにおける「ＵＥパージ済み」のマークとを消去する。
【００６８】
ＳＧＳＮにおいて、ＵＥの登録ステータスが登録済みであるとする。即ち、ＳＧＳＮにおいて、「ＵＥパージ済み」のマークが設定されておらず、「消去」状態にあるとする。これらの場合、複合ノードは、ＵＥパージプロセスをＨＳＳに開始させない。
【００６９】
ステップ５１０Ａ２〜ステップ５１２Ａ２では、従来技術と同様に、複合ノードは、ホーム加入者サーバ（ＨＳＳ）に、ＵＥパージメッセージを送信する。ＨＳＳは、要求メッセージに含まれるソースエンティティアドレスと、記憶されたＭＭＥアドレス及びＳＧＳＮアドレスのうちの１つのアドレスとのマッチングを判断する。ＨＳＳは、マッチング結果に応じて、ＭＭＥ又はＳＧＳＮにおける「ＵＥパージ済み」のマークを設定する。
【００７０】
図５Ｂ１は、本発明に係る実施形態において、図４の応用場面において、複合ノードによって提供されるＵＴＲＡＮ／ＧＥＲＡＮにおいてＵＥが長時間イナクティブ状態にある場合、複合ノードにより行われるＵＥパージプロセスを示す図である。ここで、ＭＭＥにおける加入者データと、ＳＧＳＮにおける加入者データとは、それぞれ別々に記憶される。
【００７１】
ステップ５０１Ｂ１〜ステップ５０８Ｂ１では、従来技術と同様に、ＵＥは、Ｅ−ＵＴＲＡＮとＵＴＲＡＮ／ＧＥＲＡＮを介して、ネットワークにそれぞれアクセスする。ＵＥは、同一の複合ＭＭＥ／ＳＧＳＮノードに登録される。ＨＳＳは、複合ＭＭＥ／ＳＧＳＮノードのＭＭＥアドレスと、ＳＧＳＮアドレスとをそれぞれ記憶する。ＨＳＳは、ＭＭＥにおける「ＵＥパージ済み」のマークと、ＳＧＳＮにおける「ＵＥパージ済み」のマークとを消去する。
【００７２】
ステップ５０９Ｂ１では、複合ノードは、複合ノードを利用するＵＴＲＡＮ／ＧＥＲＡＮアクセスネットワークにおいて、ＵＥが長時間イナクティブ状態にあると検出する。あるいは、複合ノードは、何らかの理由により、ユーザの加入者情報を削除する。これらの場合、複合ノードは、複合ノードに含まれるＭＭＥにおけるＵＥの登録ステータスを検査する。ＭＭＥにおけるＵＥの登録ステータスが「未登録」であるとする。即ち、ＭＭＥにおけるＵＥの加入者データが存在しない又は削除されているとする。これらの場合、複合ノードは、ＵＥパージプロセスをＨＳＳに開始させる。
【００７３】
ＭＭＥにおけるＵＥの登録ステータスが「登録済み」であるとする。即ち、ＭＭＥにおいて、ＵＥの加入者データが存在するとする。これらの場合、複合ノードは、ＵＥパージプロセスをＨＳＳに開始させない。
【００７４】
ステップ５１０Ｂ１〜ステップ５１２Ｂ１では、従来技術と同様に、複合ノードは、ホーム加入者サーバ（ＨＳＳ）に、ＵＥパージメッセージを送信する。ＨＳＳは、要求メッセージに含まれるソースエンティティアドレスと、記憶されたＭＭＥアドレス及びＳＧＳＮアドレスのうちの１つのアドレスとのマッチングを判断する。ＨＳＳは、マッチング結果に応じて、ＭＭＥ又はＳＧＳＮにおける「ＵＥパージ済み」のマークを設定する。
【００７５】
図５Ｂ２は、本発明に係る実施形態において、図４の応用場面において、複合ノードによって提供されるＵＴＲＡＮ／ＧＥＲＡＮにおいてＵＥが長時間イナクティブ状態にある場合、複合ノードにより行われるＵＥパージプロセスを示す図である。ここで、ＭＭＥにおける加入者データと、ＳＧＳＮにおける加入者データとは、それぞれ別々に又は一体的に記憶される。
【００７６】
ステップ５０１Ｂ２〜ステップ５０８Ｂ２では、従来技術と同様に、ＵＥは、Ｅ−ＵＴＲＡＮとＵＴＲＡＮ／ＧＥＲＡＮを介して、ネットワークにそれぞれアクセスする。ＵＥは、同一の複合ＭＭＥ／ＳＧＳＮノードに登録される。ＨＳＳは、複合ＭＭＥ／ＳＧＳＮノードのＭＭＥアドレスと、ＳＧＳＮアドレスとをそれぞれ記憶する。ＨＳＳは、ＭＭＥにおける「ＵＥパージ済み」のマークと、ＳＧＳＮにおける「ＵＥパージ済み」のマークとを消去する。複合ＭＭＥ／ＳＧＳＮノードは、ＭＭＥにおける「ＵＥパージ済み」のマークと、ＳＧＳＮにおける「ＵＥパージ済み」のマークとを消去する。
【００７７】
ステップ５０９Ｂ２では、複合ノードは、複合ノードを利用するＵＴＲＡＮ／ＧＥＲＡＮアクセスネットワークにおいて、ＵＥが長時間イナクティブ状態にあると検出する。あるいは、複合ノードは、何らかの理由により、ユーザの加入者情報をこれから削除しようとする。（即ち、ＳＧＳＮにおいて、「ＵＥパージ済み」のマークを設定するが、ユーザの加入者情報を実際には削除しない。）これらの場合、複合ノードは、複合ノードに含まれるＭＭＥにおけるＵＥの登録ステータスを検査する。ＭＭＥにおけるＵＥの登録ステータスが「未登録」であるとする。即ち、ＭＭＥにおいて、「ＵＥパージ済み」のマークが設定されている。これらの場合、複合ノードは、ＭＭＥにおけるＵＥのユーザの加入者情報と、ＳＧＳＮにおけるＵＥのユーザの加入者情報とを削除する。あるいは、複合ノードは、一体的に記憶されたユーザの加入者情報を削除する。そして、複合ノードは、ＵＥパージプロセスをＨＳＳに開始させる。複合ノードは、ＳＧＳＮにおける「ＵＥパージ済み」のマークと、ＭＭＥにおける「ＵＥパージ済み」のマークとを消去する。
【００７８】
ＭＭＥにおいて、ＵＥの登録ステータスが登録済みであるとする。即ち、ＭＭＥにおいて、「ＵＥパージ済み」のマークが設定されておらず、「消去」状態にあるとする。これらの場合、複合ノードは、ＵＥパージプロセスをＨＳＳに開始させない。
【００７９】
ステップ５１０Ｂ２〜ステップ５１２Ｂ２では、従来技術と同様に、複合ノードは、ホーム加入者サーバ（ＨＳＳ）に、ＵＥパージメッセージを送信する。ＨＳＳは、要求メッセージに含まれるソースエンティティアドレスと、記憶されたＭＭＥアドレス及びＳＧＳＮアドレスのうちの１つのアドレスとのマッチングを判断する。ＨＳＳは、マッチング結果に応じて、ＭＭＥ又はＳＧＳＮにおける「ＵＥパージ済み」のマークを設定する。
【００８０】
図６Ａ１は、本発明に係る実施形態において、図４の応用場面において、複合ノードが受信する位置パージメッセージに含まれるパージタイプがＭＭＥ更新プロセスである場合、複合ノードにより行われるＵＥパージプロセスを示す図である。ここで、ＭＭＥにおける加入者データと、ＳＧＳＮにおける加入者データとは、それぞれ別々に記憶される。
【００８１】
ステップ６０１Ａ１〜ステップ６０８Ａ１では、従来技術と同様に、ＵＥは、Ｅ−ＵＴＲＡＮとＵＴＲＡＮ／ＧＥＲＡＮを介して、ネットワークにそれぞれアクセスする。ＵＥは、同一の複合ＭＭＥ／ＳＧＳＮノードに登録される。ＨＳＳは、複合ＭＭＥ／ＳＧＳＮノードのＭＭＥアドレスと、ＳＧＳＮアドレスとをそれぞれ記憶する。ＨＳＳは、ＭＭＥにおける「ＵＥパージ済み」のマークと、ＳＧＳＮにおける「ＵＥパージ済み」のマークとを消去する。
【００８２】
ステップ６０９Ａ１〜ステップ６１０Ａ１では、従来技術と同様に、ＭＭＥが変更されるため、ＨＳＳは、ＭＭＥ更新プロセスの要求メッセージを受信する。その後、ＨＳＳは、ソース複合ノードに含まれる登録済みのＭＭＥに位置パージ要求を送信する。パージタイプは、ＭＭＥ更新プロセスに設定される。
【００８３】
ステップ６１１Ａ１では、複合ノードに含まれるＭＭＥアドレスとＳＧＳＮアドレスとは、同じである。このため、複合ノードは、複合ノードに含まれるＳＧＳＮにおけるＵＥの登録ステータスを検査する。ＳＧＳＮにおけるＵＥの登録ステータスが「未登録」であるとする。即ち、ＳＧＳＮにおけるＵＥの加入者データが存在しない又は削除されているとする。これらの場合、複合ノードは、ＵＥパージプロセスをＨＳＳに開始させる。
【００８４】
ＳＧＳＮにおいて、ＵＥの登録ステータスが「登録済み」であるとする。即ち、ＳＧＳＮにおいて、ＵＥの加入者データが存在するとする。これらの場合、複合ノードは、ＵＥパージプロセスを開始しない。
【００８５】
ステップ６１２Ａ１〜ステップ６１４Ａ１では、従来技術と同様に、複合ノードは、ホーム加入者サーバ（ＨＳＳ）に、ＵＥパージメッセージを送信する。ＨＳＳは、要求メッセージに含まれるソースエンティティアドレスと、記憶されたＭＭＥアドレス及びＳＧＳＮアドレスのうちの１つのアドレスとのマッチングを判断する。ＨＳＳは、マッチング結果に応じて、ＭＭＥ又はＳＧＳＮにおける「ＵＥパージ済み」のマークを設定する。
【００８６】
図６Ａ２は、本発明に係る実施形態において、図４の応用場面において、複合ノードが受信する位置パージメッセージに含まれるパージタイプがＭＭＥ更新プロセスである場合、複合ノードにより行われるＵＥパージプロセスを示す図である。ここで、ＭＭＥにおける加入者データと、ＳＧＳＮにおける加入者データとは、それぞれ別々に又は一体的に記憶される。
【００８７】
ステップ６０１Ａ２〜ステップ６０８Ａ２では、従来技術と同様に、ＵＥは、Ｅ−ＵＴＲＡＮとＵＴＲＡＮ／ＧＥＲＡＮを介して、ネットワークにそれぞれアクセスする。ＵＥは、同一の複合ＭＭＥ／ＳＧＳＮノードに登録される。ＨＳＳは、複合ＭＭＥ／ＳＧＳＮノードのＭＭＥアドレスと、ＳＧＳＮアドレスとをそれぞれ記憶する。ＨＳＳは、ＭＭＥにおける「ＵＥパージ済み」のマークと、ＳＧＳＮにおける「ＵＥパージ済み」のマークとを消去する。また、複合ＭＭＥ／ＳＧＳＮノードは、ＭＭＥにおける「ＵＥパージ済み」のマークと、ＳＧＳＮにおける「ＵＥパージ済み」のマークとを消去する。
【００８８】
ステップ６０９Ａ２〜ステップ６１０Ａ２では、従来技術と同様に、ＭＭＥが変更されるため、ＨＳＳは、ＭＭＥ更新プロセスの要求メッセージを受信する。その後、ＨＳＳは、ソース複合ノードに含まれる登録済みのＭＭＥに位置パージ要求を送信する。パージタイプは、ＭＭＥ更新プロセスに設定される。
【００８９】
ステップ６１１Ａ２では、複合ノードに含まれるＭＭＥアドレスとＳＧＳＮアドレスとは、同じである。このため、複合ノードは、複合ノードに含まれるＳＧＳＮにおけるＵＥの登録ステータスを検査する。ＳＧＳＮにおけるＵＥの登録ステータスが「未登録」であるとする。即ち、ＳＧＳＮにおいて「ＵＥパージ済み」のマークが設定されているとする。この場合、複合ノードは、ＵＥパージプロセスをＨＳＳに開始させる。そして、複合ノードは、ＳＧＳＮにおける「ＵＥパージ済み」のマークと、ＭＭＥにおける「ＵＥパージ済み」のマークとを消去する。
【００９０】
ＳＧＳＮにおけるＵＥの登録ステータスが「登録済み」であるとする。即ち、ＳＧＳＮにおいて、「ＵＥパージ済み」のマークが設定されておらず、「消去」状態にあるとする。これらの場合、複合ノードは、ＵＥパージプロセスを開始しない。
【００９１】
ステップ６１２Ａ２〜ステップ６１４Ａ２では、従来技術と同様に、複合ノードは、ホーム加入者サーバ（ＨＳＳ）に、ＵＥパージメッセージを送信する。ＨＳＳは、要求メッセージに含まれるソースエンティティアドレスと、記憶されたＭＭＥアドレス及びＳＧＳＮアドレスのうちの１つのアドレスとのマッチングを判断する。ＨＳＳは、マッチング結果に応じて、ＭＭＥ又はＳＧＳＮにおける「ＵＥパージ済み」のマークを設定する。
【００９２】
図６Ｂ１は、本発明に係る実施形態において、図４の応用場面において、複合ノードが受信する位置パージメッセージに含まれるパージタイプがＳＧＳＮ更新プロセスである場合、複合ノードにより行われるＵＥパージプロセスを示す図である。ここで、ＭＭＥにおける加入者データと、ＳＧＳＮにおける加入者データとは、それぞれ別々に記憶される。
【００９３】
ステップ６０１Ｂ１〜ステップ６０８Ｂ１では、従来技術と同様に、ＵＥは、Ｅ−ＵＴＲＡＮとＵＴＲＡＮ／ＧＥＲＡＮを介して、ネットワークにそれぞれアクセスする。ＵＥは、同一の複合ＭＭＥ／ＳＧＳＮノードに登録される。ＨＳＳは、複合ＭＭＥ／ＳＧＳＮノードのＭＭＥアドレスと、ＳＧＳＮアドレスとをそれぞれ記憶する。ＨＳＳは、ＭＭＥにおける「ＵＥパージ済み」のマークと、ＳＧＳＮにおける「ＵＥパージ済み」のマークとを消去する。
【００９４】
ステップ６０９Ｂ１〜ステップ６１０Ｂ１では、従来技術と同様に、ＳＧＳＮが変更されるため、ＨＳＳは、ＳＧＳＮ更新プロセスの要求メッセージを受信する。その後、ＨＳＳは、ソース複合ノードに含まれる登録済みのＳＧＳＮに位置パージ要求を送信する。パージタイプは、ＳＧＳＮ更新プロセスに設定される。
【００９５】
ステップ６１１Ｂ１では、複合ノードに含まれるＭＭＥアドレスとＳＧＳＮアドレスとは、同じである。このため、複合ノードは、複合ノードに含まれるＭＭＥにおけるＵＥの登録ステータスを検査する。ＭＭＥにおけるＵＥの登録ステータスが「未登録」であるとする。即ち、ＭＭＥにおけるＵＥの加入者データが存在しない又は削除されているとする。これらの場合、複合ノードは、ＵＥパージプロセスをＨＳＳに開始させる。
【００９６】
ＭＭＥにおいて、ＵＥの登録ステータスが「登録済み」であるとする。即ち、ＭＭＥにおいて、ＵＥの加入者データが存在するとする。これらの場合、複合ノードは、ＵＥパージプロセスを開始しない。
【００９７】
ステップ６１２Ｂ１〜ステップ６１４Ｂ１では、従来技術と同様に、複合ノードは、ホーム加入者サーバ（ＨＳＳ）に、ＵＥパージメッセージを送信する。ＨＳＳは、要求メッセージに含まれるソースエンティティアドレスと、記憶されたＭＭＥアドレス及びＳＧＳＮアドレスのうちの１つのアドレスとのマッチングを判断する。ＨＳＳは、マッチング結果に応じて、ＭＭＥ又はＳＧＳＮにおける「ＵＥパージ済み」のマークを設定する。
【００９８】
図６Ｂ２は、本発明に係る実施形態において、図４の応用場面において、複合ノードが受信する位置パージメッセージに含まれるパージタイプがＳＧＳＮ更新プロセスである場合、複合ノードにより行われるＵＥパージプロセスを示す図である。ここで、ＭＭＥにおける加入者データと、ＳＧＳＮにおける加入者データとは、それぞれ別々に又は一体的に記憶される。
【００９９】
ステップ６０１Ｂ２〜ステップ６０８Ｂ２では、従来技術と同様に、ＵＥは、Ｅ−ＵＴＲＡＮとＵＴＲＡＮ／ＧＥＲＡＮを介して、ネットワークにそれぞれアクセスする。ＵＥは、同一の複合ＭＭＥ／ＳＧＳＮノードに登録される。ＨＳＳは、複合ＭＭＥ／ＳＧＳＮノードのＭＭＥアドレスと、ＳＧＳＮアドレスとをそれぞれ記憶する。ＨＳＳは、ＭＭＥにおける「ＵＥパージ済み」のマークと、ＳＧＳＮにおける「ＵＥパージ済み」のマークとを消去する。また、複合ＭＭＥ／ＳＧＳＮノードは、ＭＭＥにおける「ＵＥパージ済み」のマークと、ＳＧＳＮにおける「ＵＥパージ済み」のマークとを消去する。
【０１００】
ステップ６０９Ｂ２〜ステップ６１０Ｂ２では、従来技術と同様に、ＳＧＳＮが変更されるため、ＨＳＳは、ＳＧＳＮ更新プロセスの要求メッセージを受信する。その後、ＨＳＳは、ソース複合ノードに含まれる登録済みのＳＧＳＮに位置パージ要求を送信する。パージタイプは、ＳＧＳＮ更新プロセスに設定される。
【０１０１】
ステップ６１１Ｂ２では、複合ノードに含まれるＭＭＥアドレスとＳＧＳＮアドレスとは、同じである。このため、複合ノードは、複合ノードに含まれるＭＭＥにおけるＵＥの登録ステータスを検査する。ＳＧＳＮにおけるＵＥの登録ステータスが「未登録」であるとする。即ち、ＭＭＥにおいて「ＵＥパージ済み」のマークが設定されているとする。この場合、複合ノードは、ＵＥパージプロセスをＨＳＳに開始させる。そして、複合ノードは、ＳＧＳＮにおける「ＵＥパージ済み」のマークと、ＭＭＥにおける「ＵＥパージ済み」のマークとを消去する。
【０１０２】
ＭＭＥにおけるＵＥの登録ステータスが「登録済み」であるとする。即ち、ＭＭＥにおいて、「ＵＥパージ済み」のマークが設定されておらず、「消去」状態にあるとする。これらの場合、複合ノードは、ＵＥパージプロセスを開始しない。
【０１０３】
ステップ６１２Ｂ２〜ステップ６１４Ｂ２では、従来技術と同様に、複合ノードは、ホーム加入者サーバ（ＨＳＳ）に、ＵＥパージメッセージを送信する。ＨＳＳは、要求メッセージに含まれるソースエンティティアドレスと、記憶されたＭＭＥアドレス及びＳＧＳＮアドレスのうちの１つのアドレスとのマッチングを判断する。ＨＳＳは、マッチング結果に応じて、ＭＭＥ又はＳＧＳＮにおける「ＵＥパージ済み」のマークを設定する。
【０１０４】
上記のものは本発明の好適な実施形態に過ぎず、本発明はこれに限定されず、種々の変更形態および変形形態が当業者によって可能である。また、特許請求の範囲に規定される本発明の精神及び範囲に逸脱しない限り、あらゆる変更、均等な代替物、および改良が可能であることを理解されたい。
【０１０５】
本発明に係るユーザ端末パージ方法及びシステムは、従来技術と比べて、簡便に実現でき、従来技術における技術的課題を有効に解決できる。
【図１】
0005406376.tif 000002
【図２】
0005406376.tif 000003
【図３】
0005406376.tif 000004
【図４】
0005406376.tif 000005
【図５Ａ１】
0005406376.tif 000006
【図５Ａ２】
0005406376.tif 000007
【図５Ｂ１】
0005406376.tif 000008
【図５Ｂ２】
0005406376.tif 000009
【図６Ａ１】
0005406376.tif 000010
【図６Ａ２】
0005406376.tif 000011
【図６Ｂ１】
0005406376.tif 000012
【図６Ｂ２】
0005406376.tif 000013